(57)【要約】【課題】データ通信前とデータ通信中の使用者の操作性を高める通信装置及びプログラムを提供する。【解決手段】通信装置１０は、所定の距離内に位置する通信機器２０と電界結合又は磁界結合を行う複数の通信部１１０ａ乃至１１０ｅ、各通信部１１０ａ乃至１１０ｅと、所定の制御内容を示す制御情報とを対応させて記憶した記憶部１３０、電界結合又は磁界結合を行っている通信部１１０ａ乃至１１０ｅに対応する制御情報を、記憶部１３０から取得する制御情報取得部１２０ａ、制御情報取得部１２０ａが取得した制御情報を用いて、通信部１１０ａ乃至１１０ｅの内で、電界結合又は磁界結合を行っている通信部の通信を制御する制御部１２０と、を備える。【選択図】図２
2011205597.tif 000002
【特許請求の範囲】
【請求項１】
所定の距離内に位置する通信機器と電界結合又は磁界結合を行う複数の通信手段と、
当該通信手段と、所定の制御内容を示す制御情報とを対応させて記憶した記憶手段と、
前記電界結合又は磁界結合を行っている前記通信手段に対応する制御情報を、前記記憶手段から取得する取得手段と、
当該取得手段が取得した前記制御情報を用いて所定の制御を行う制御手段と、
を備えることを特徴とする通信装置。
【請求項２】
前記通信手段は、前記通信機器と前記電界結合又は磁界結合が行われることに応じて電界強度又は磁界強度を検出し、
前記取得手段は、前記通信手段が検出した電界強度又は磁界強度のうち最も大きい電界強度又は磁界強度を検出した通信手段に対応する制御情報を、前記記憶手段から取得する、
ことを特徴とする請求項１に記載の通信装置。
【請求項３】
前記制御情報は、前記通信機器と通信を行う通信データの選択、及び、当該通信データの通信先の選択を行うための選択情報を含み、
前記制御手段は、前記選択情報を用いて前記通信機器との間で通信を行う通信データ、及び、当該通信データの通信先を選択し、前記選択された通信先との間で前記通信データを通信するように前記通信手段を制御する、ことを特徴とする請求項１又は２に記載の通信装置。
【請求項４】
前記制御情報は、前記通信機器と通信を行う通信データのストリーミングを制御するための表示制御情報を含み、
前記制御手段は、前記表示制御情報を用いて前記通信機器との間で行うストリーミングを制御する、
ことを特徴とする請求項１乃至３の何れか１項に記載の通信装置。
【請求項５】
前記記憶手段は、前記通信手段が検出する電界強度又は磁界強度を所定の範囲毎に前記ストリーミングの早送り又は巻戻しの速度を制御する速度制御情報と対応付けて記憶し、
前記取得手段は、前記電界結合又は磁界結合を行っている通信手段が検出した前記電界強度又は磁界強度に基づいて前記記憶手段から前記速度制御情報を取得し、
前記制御手段は、前記取得手段が取得した前記速度制御情報を用いて前記通信機器との間で行うストリーミングの早送り又は巻戻しの速度を制御する、
ことを特徴とする請求項４に記載の通信装置。
【請求項６】
コンピュータに、
電界結合又は磁界結合を行っている通信部に対応する所定の制御内容を示す制御情報を取得する取得工程と、
前記取得工程で取得した前記制御情報を用いて所定の制御を行う制御工程と、
を行わせることを特徴とする通信制御プログラム。
【発明の詳細な説明】
【技術分野】
【０００１】
本発明は、通信装置及び通信制御プログラムに関する。
【背景技術】
【０００２】
近年、通信装置を互いに３ｃｍ程度の所定距離に近接する（かざす）ことにより、通信装置間で数１００Ｍｂｐｓの通信速度（通信帯域）でデータ通信を行う技術（いわゆる近接無線通信システム）が開発されている。例えば、特許文献１には、通信装置が通信相手の通信装置と３ｃｍ程度の所定距離に位置した時に、通信装置間で静電界や誘導電界等の電界結合を行い、通信装置間でＵＷＢ（Ultra Wide Band）等の高周波信号を伝送する技術が開示されている。これにより、映像や音楽等のコンテンツのデータ容量が数１００メガバイト以上あっても、通信装置間で、数秒ほどでコンテンツを送受信できるようになった。
【先行技術文献】
【特許文献】
【０００３】
【特許文献１】特開２００８−３１２０７４号公報
【発明の概要】
【発明が解決しようとする課題】
【０００４】
しかしながら、特許文献１では、複数のデータを記憶している通信装置から、他の通信装置にデータを送信する場合、データ通信を行う前に、使用者は、送信させるデータを複数のデータの中から選択する操作を行う必要があった。また、ある通信装置から、複数のデータ記憶場所を備える通信装置にデータを送信する場合、データ通信を行う前に、使用者は、受信させるデータの記憶場所を複数のデータ記憶場所の中から選択する操作を行う必要があった。
【０００５】
また、特許文献１では、データ通信時にストリーミングを行う場合、通信装置等に設けられている早送りボタンや巻戻しボタン等を操作して、ストリーミングの早送りや巻戻し等を行うこともできるが、通信装置を互いに近接した状態でボタン操作を行うのは難しいという問題があった。
【０００６】
本発明は、上記実情に鑑みてなされたものであり、データ通信前とデータ通信中の使用者の操作性を高めることができる、通信装置及び通信制御プログラムを提供することを目的とする。
【課題を解決するための手段】
【０００７】
本発明の第１の観点に係る通信装置は、
所定の距離内に位置する通信機器と電界結合又は磁界結合を行う複数の通信手段と、
当該通信手段と、所定の制御内容を示す制御情報とを対応させて記憶した記憶手段と、
前記電界結合又は磁界結合を行っている前記通信手段に対応する制御情報を、前記記憶手段から取得する取得手段と、
当該取得手段が取得した前記制御情報を用いて所定の制御を行う制御手段と、
を備えることを特徴とする。
【０００８】
本発明の第２の観点に係る通信制御プログラムは、
コンピュータに、
電界結合又は磁界結合を行っている通信部に対応する所定の制御内容を示す制御情報を取得する取得工程と、
前記取得工程で取得した前記制御情報を用いて所定の制御を行う制御工程と、
を行わせることを特徴とする。
【発明の効果】
【０００９】
本発明に係る通信装置及び通信制御プログラムによれば、データ通信前とデータ通信中の使用者の操作性を高めることができる。
【図面の簡単な説明】
【００１０】
【図１】本発明の実施形態に係る通信システムの構成を示す図である。
【図２】本発明の実施形態に係る通信装置の機能構成を示すブロック図である。
【図３】本発明の実施形態に係る選択情報を示す図である。
【図４】本発明の実施形態に係る表示制御情報を示す図である。
【図５】本発明の実施形態に係る早送り速度制御情報を示す図である。
【図６】本発明の実施形態に係る巻戻し速度制御情報を示す図である。
【図７】本発明の実施形態に係る通信装置のハードウェア構成を示すブロック図である。
【図８】本発明の実施形態に係る通信装置が行う全体の処理を示すフロー図である。
【図９】本発明の実施形態に係る通信装置が行う選択処理を示すフロー図である。
【図１０】本発明の実施形態に係る通信装置が行うストリーミング処理を示すフロー図である。
【図１１】本発明の実施形態に係る通信装置が行う表示制御処理を示すフロー図である。
【図１２】（ａ）表示装置の画面に表示するトップメニューを示す図である。（ｂ）表示装置の画面においてカーソルが移動したときの様子を示す図である。
【図１３】表示装置の画面に表示するストリーミング可能なファイル等の一覧を示した図である。
【図１４】表示装置の画面に表示する確認画面を示した図である。
【図１５】表示装置の画面に表示する表示制御の内容を表す各種キーを示した図である。
【発明を実施するための形態】
【００１１】
本発明の一実施形態にかかる通信システム１を、図面を参照して説明する。
【００１２】
通信システム１は、図１に示すように、通信装置１０と、携帯機器２０と、表示装置３０と、を備える。
【００１３】
通信装置１０は、５つの通信部１１０ａ乃至１１０ｅを備え、各通信部１１０ａ乃至１１０ｅは、通信装置１０の上面部１００の所定位置に設けられる。携帯機器２０は、通信部２１０を備える。通信装置１０の各通信部１１０ａ乃至１１０ｅと、携帯機器２０の通信部２１０とは、これらが相互に所定距離（例えば３ｃｍ程度）内に位置したとき、相互に電界結合を行い、相互に通信を行う。また、通信装置１０は、所定の制御内容を示す制御情報を、各通信部１１０ａ乃至１１０ｅに対応させて記憶している。
【００１４】
通信装置１０は、使用者が通信装置１０の上面部１００付近に携帯機器２０を近接させ、上面部１００付近で携帯機器２０を移動させることにより、通信部２１０と電界結合を行う。この場合に、通信装置１０は、電界結合を行った通信部１１０に対応する制御情報を取得し、取得した制御情報に基づいて所定の制御を行う。
【００１５】
通信装置１０は、例えば、通信部１１０ａ乃至１１０ｅが配置された上面部１００と各通信部１１０ａ乃至１１０ｅに接続されたコンピュータから構成される。
【００１６】
携帯機器２０は、通信装置１０の５つの通信部１１０ａ乃至１１０ｅと通信が可能な通信部２１０を備える、例えばデジタルムービーカメラ等の携帯可能な通信機器で構成される。表示装置３０は、液晶テレビや有機ＥＬ（Electro Luminescence）ディスプレイ等から構成され、通信装置１０から供給される映像・音声データで表された映像を表示し、音声を出力する。
【００１７】
次に、図２を参照して通信装置１０の機能構成を説明する。通信装置１０は、通信部１１０ａ乃至１１０ｅと、制御部１２０と、記憶部１３０と、読出・書込部１４０と、を備える。
【００１８】
各通信部１１０ａ乃至１１０ｅは、所定距離内に通信部２１０が位置したときに、通信部２１０と相互に電界結合を行い、通信を行う。各通信部１１０ａ乃至１１０ｅは、通信部２１０と相互に電界結合が行われたことに応じて発生した電界強度を検出し、検出した電界強度を表す電界信号を制御部１２０に供給する。
【００１９】
制御部１２０は、プロセッサ等から構成され、通信装置１０の各部の制御を含む通信装置１０全体の制御を行う。また、制御部１２０は、電界強度を検出した通信部１１０（つまり、通信部１１０ａ乃至１１０ｅの何れか）から受け取る電界信号を用いて、携帯機器２０の通信部２１０に最も近い通信部１１０を特定し、特定した通信部１１０に対応する制御情報を制御情報記憶部１３１ｂから取得する制御情報取得部１２０ａを備える。制御部１２０は、制御情報取得部１２０ａが取得した制御情報に基づいて制御情報で示される所定の制御を行う。
【００２０】
記憶部１３０は、制御部１２０の制御のもと、制御部１２０が処理中に生成したデータ、例えば、ＤＶＤ（Digital Versatile Disc）、ブルーレイディスク（Blu-ray Disc）、又はフラッシュメモリカードなどの記録媒体４０から読み出した記録データ等、各種データを適宜記憶する。また、記憶部１３０は、プログラム記憶部１３１ａ及び制御情報記憶部１３１ｂを備える。
【００２１】
プログラム記憶部１３１ａは、制御部１２０が読み出して実行する後述の通信制御プログラムを記憶している。制御情報記憶部１３１ｂは、各通信部１１０ａ乃至１１０ｅの識別情報と、各通信部１１０ａ乃至１１０ｅが電界結合されたことに応答して実行する制御の内容を示す制御情報とを対応付けて記憶している。
【００２２】
ここで、各通信部１１０ａ乃至１１０ｅは、唯１つの操作に使用されるのではなく、この通信システム１の動作の場面に応じて様々な操作に使用される。このため、１つの各通信部１１０ａ乃至１１０ｅには、動作局面に応じて、複数の制御情報が対応付けられている。よって、制御情報記憶部１３１ｂは、各通信部１１０ａ乃至１１０ｅの識別情報と複数の制御情報とを対応付けて記憶している。
【００２３】
例えば、通信装置１０は、携帯機器２０の移動に従って、メニュー上のカーソルを移動し、カーソルが指示する項目を選択・決定する動作（以下、選択動作という）を行う。このような動作局面に備えて、制御情報記憶部１３１ｂには、例えば、図３に示すように、通信部１１０の識別情報と選択処理の内容を示す制御情報（以下区別のため、選択情報と呼ぶ）とが対応付けられて記憶されている。具体的に説明すると、制御情報記憶部１３１ｂは、通信部１１０ａの識別情報と選択対象の「決定（選択）」処理を示す制御情報、通信部１１０ｂの識別情報とカーソルを「上方向」に移動する処理を示す制御情報、通信部１１０ｃの識別情報とカーソルを「下方向」に移動する処理を示す制御情報、通信部１１０ｄの識別情報とカーソルを「右方向」に移動する処理を示す情報、通信部１１０ｅの識別情報とカーソルを「左方向」に移動する処理を示す情報を、それぞれ対応付けて記憶している。
【００２４】
制御部１２０が、各通信部１１０ａ乃至１１０ｅに対応付けられた各選択情報に基づいて、選択対象の選択・決定を行うことにより、通信（送信）対象データの選択や、当該通信データの通信（送信）先を選択することが可能となる。換言すると、各通信部１１０ａ乃至１１０ｅは、あたかも、各種選択キーとして機能する。この場合、通信部１１０ａは決定キー、通信部１１０ｂは上カーソルキー、通信部１１０ｃは下カーソルキー、通信部１１０ｄは右カーソルキー、通信部１１０ｅは左カーソルキーとして機能する。
【００２５】
例えば、通信装置１０は、携帯機器２０が記憶しているデータをストリーミング受信し、表示装置３０に出力する動作（以下、ストリーミング動作という）を行う。このような動作局面に備えて、制御情報記憶部１３１ｂには、例えば、図４に示すように、通信部１１０の識別情報と表示装置３０の画面に表示するデータの表示制御の内容を表す表示制御情報（以下、区別のため、表示制御情報と呼ぶ）とが対応付けられて記憶されている。具体的に説明すると、制御情報記憶部１３１ｂは、通信部１１０ａの識別情報と「通常再生（１倍速再生）」を行う表示制御情報、通信部１１０ｂの識別情報と「早送り」を行う表示制御情報、通信部１１０ｃの識別情報と「巻戻し」を行う表示制御情報、通信部１１０ｄの識別情報と「次のチャプター」に移動する表示制御情報、通信部１１０ｅの識別情報と「前のチャプター」に移動する表示制御情報を、それぞれ対応付けて記憶している。
【００２６】
制御部１２０が、各通信部１１０ａ乃至１１０ｅに対応付けられた各表示制御情報に基づいて通信データのストリーミングを制御することにより、ストリーミング映像の再生・停止等が可能となる。この場合、通信部１１０ａは再生キー、通信部１１０ｂは早送りキー、通信部１１０ｃは巻戻しキー、通信部１１０ｄは次チャプターキー、通信部１１０ｅは前チャプターキーとして機能する。
【００２７】
また、制御情報記憶部１３１ｂは、ストリーミングの早送り速度を制御する早送り速度制御情報を記憶している。この早送り速度制御情報は、通信部１１０ａが検出する電界強度をＥｃ１、通信部１１０ｂが検出する電界強度をＥｃ２として、その差を求めた値（Ｘ＝Ｅｃ２−Ｅｃ１）について、一定の範囲毎に、ストリーミングの早送り速度を対応付けた情報である。
【００２８】
例えば、制御情報記憶部１３１ｂは、図５に示すように、通信部１１０ａが検出する電界強度（Ｅｃ１）と通信部１１０ｂが検出する電界強度（Ｅｃ２）との差の値（Ｘ＝Ｅｃ２ーＥｃ１）について、ａ＜Ｘ≦ｂの場合「１．５倍速」、ｂ＜Ｘ≦ｃの場合「３倍速」、ｃ＜Ｘ≦ｄの場合「４．５倍速」、ｄ＜Ｘ≦ｅの場合「６倍速」というように、所定の通信部１１０ａ及び１１０ｂからそれぞれ得られる電界強度の差の値を一定の範囲毎に分け、一定の範囲毎に分けた電界強度の差の値と早送り速度の値とを対応付ける。
【００２９】
また、制御情報記憶部１３１ｂは、ストリーミングの巻戻し速度を制御する巻き戻し速度制御情報を記憶している。この巻き戻し速度制御情報は、通信部１１０ａが検出する電界強度をＥｃ１、通信部１１０ｃが検出する電界強度をＥｃ３として、その差を求めた値（Ｙ＝Ｅｃ３−Ｅｃ１）について、一定の範囲毎に、ストリーミングの巻戻し速度の値とを対応付けた情報である。
【００３０】
例えば、制御情報記憶部１３１ｂは、図６に示すように、通信部１１０ａが検出する電界強度（Ｅｃ１）と通信部１１０ｃが検出する電界強度（Ｅｃ３）との差の値（Ｙ＝Ｅｃ３ーＥｃ１）について、ｆ＜Ｙ≦ｇの場合「１．５倍速」、ｇ＜Ｙ≦ｈの場合「３倍速」、ｈ＜Ｙ≦ｉの場合「４．５倍速」、ｉ＜Ｙ≦ｊの場合「６倍速」というように、所定の通信部１１０ａ，１１０ｃから得られる電界強度の差の値を一定の範囲毎に分け、一定の範囲毎に分けた電界強度の差の値と巻戻し速度の値とを対応付ける。
【００３１】
図２の読出・書込部１４０は、制御部１２０の制御のもと、記録媒体４０に記録された記録データを読み出し、制御部１２０に供給する。また、読出・書込部１４０は、制御部１２０の制御のもと、記録データを記録媒体４０に書き込む（記録する）。
【００３２】
次に、図７を参照して、通信装置１０のハードウェア構成を説明する。図示するように、通信装置１０は、電界カプラ素子１１１ａ乃至１１１ｅと、電界検出回路１１２ａ乃至１１２ｅと、ＣＰＵ（Central Processing Unit）１２１と、一次記憶装置１２２と、送受信回路１２３と、二次記憶装置１３１と、メディアコントローラ１４１と、を備える。
【００３３】
図２の通信部１１０ａ乃至１１０ｅは、図７に示す電界カプラ素子１１１ａ乃至１１１ｅと電界検出回路１１２ａ乃至１１２ｅとによってそれぞれ実現される。
【００３４】
電界カプラ素子１１１ａ乃至１１１ｅは、例えば３ｃｍ程度の所定距離内に、携帯機器２０に備えられた電界カプラ素子２１１が位置したときに、電界カプラ素子２１１と相互に電界結合を行い、通信を行う。電界カプラ素子１１１ａ乃至１１１ｅは、携帯機器２０の電界カプラ素子２１１に備えられた結合用電極との間で高周波信号を伝送する結合用電極と、結合用電極における電気的結合を強くする共振スタブとから構成される。各電界カプラ素子１１１ａ乃至１１１ｅは、それぞれ対応する電界検出回路１１２ａ乃至１１２ｅに接続されている。また、各電界カプラ素子１１１ａ乃至１１１ｅは、携帯機器２０の結合用電極との間で伝送される高周波信号を伝送する信号線を介して送受信回路１２３に接続されている。
【００３５】
各電界検出回路１１２ａ乃至１１２ｅは、それぞれ対応する電界カプラ素子１１１ａ乃至１１１ｅが携帯機器２０の電界カプラ素子２１１と相互に電界結合が行われたことに応じて電界強度を検出し、検出した電界強度を表す電界信号をＣＰＵ１２１に供給する。
【００３６】
図７に示すＣＰＵ１２１は、一次記憶装置１２２と送受信回路１２３と協働することで、図２の制御部１２０を実現する。一次記憶装置１２２は、ＲＡＭ（Random Access Memory）等によって構成され、ＣＰＵ１２１のワーキングメモリ等として機能する。つまり、ＣＰＵ１２１が、他の構成要素（例えば、各電界検出回路１１２ａ乃至１１２ｅや記録媒体４０）から受け取る各種データ、及び、ＣＰＵ１２１が、他の構成要素（例えば、二次記憶装置１３１や表示装置３０）に供給する各種データは、一旦、一次記憶装置１２２の記憶領域に記録される。送受信回路１２３は、ＣＰＵ１２１の制御のもと、ＣＰＵ１２１から受け取ったデータで搬送波を変調処理し、変調処理により得られた高周波信号を、電界カプラ素子１１１ａ乃至１１１ｅの何れかに供給する。また、送受信回路１２３は、ＣＰＵ１２１の制御のもと、電界カプラ素子１１１ａ乃至１１１ｅの何れかから受け取る高周波信号を復調処理し、復調処理して得られるデータ（ベースバンド信号）をＣＰＵ１２１に供給する。
【００３７】
図７に示す二次記憶装置１３１は、図２の記憶部１３０を実現する。二次記憶装置１３１は、ハードディスク又はフラッシュメモリ等によって構成され、通信制御プログラム及び所定の制御情報等を記憶している。
【００３８】
図７に示すメディアコントローラ１４１は、図２の読出・書込部１４０を実現する。メディアコントローラ１４１は、データの読み出しや書き込みを行うインターフェース装置である。
【００３９】
表示装置３０は、駆動回路と表示パネルとから構成されている。制御部１２０は、各種映像データから、例えば、ＲＧＢ（ＲＥＤ−ＧＲＥＥＮ−ＢＬＵＥ）データ等の表示用データを生成し、生成した表示用データを駆動回路に供給する。駆動回路は、制御部１２０から供給された表示用のデータに基づいて表示パネルを駆動し、表示用のデータによって表される各種映像を表示パネルに表示させる。
【００４０】
図２及び図７に示す記録媒体４０は、携帯機器２０から転送された各種コンテンツデータを、メディアコントローラ１４１によって書き込まれる。また、記録媒体４０に記録されたコンテンツデータは、メディアコントローラ１４１によって読み出された後に、表示装置３０に出力されても良い。
【００４１】
次に、図８乃至図１１を参照して、通信装置１０の動作を説明する。先ず、通信装置１０が行う上記の選択動作について説明を行う。
【００４２】
使用者が通信装置１０の電源を入れる（電源スイッチをオン状態にする）と、制御部１２０は、表示装置３０の画面にトップメニューを表示するデータを供給する。表示装置３０は、当該データを制御部１２０から受け取り、制御部１２０の制御のもと、その画面にトップメニューを表示する（図８のステップＳ８０１）。表示装置３０の画面（表示パネル）には、図１２（ａ）に示すように、ストリーミング処理を示す選択項目３１ａ、ダウンロード処理を示す選択項目３１ｂ、及びダウンロード済みデータの再生処理を示す選択項目３１ｃと、各選択項目３１ａ乃至３１ｃの何れかを指し示すカーソル３２とが表示される。
【００４３】
制御部１２０は、使用者の操作によりトップメニューの各選択項目３１ａ乃至３１ｃの何れかが選択されるのを待ち受ける。
【００４４】
使用者は、表示装置３０の画面に表示されたトップメニューの各選択項目３１ａ乃至３１ｃとカーソル３２とを確認し、通信装置１０の上面部１００付近で携帯機器２０を移動する。
【００４５】
例えば、カーソル３２を「上方向」に移動する場合、使用者は、通信装置１０の上面部１００の中央から所定方向の位置に携帯機器２０を移動する。尚、所定方向とは、例えば、通信装置１０と表示装置３０とを接続する接続コードが設けられた方向に予め設定されている。通常、接続コードが設けられた方向に表示装置３０が設置されるため、接続コードが設けられた方向は、表示装置３０に向いたユーザにとって前方向であり、カーソル３２の上方向と観念的に関連づけ易いためである。このため、以下単に、上記所定方向を上面部１００の中央から上方向と定義し、同様に、下方向（つまり、所定方向の逆方向）、左方向、及び右方向を定義する。
【００４６】
また、カーソル３２を「下方向」に移動する場合、使用者は、通信装置１０の上面部１００の中央から下方向の位置に携帯機器２０を移動する。
【００４７】
また、カーソル３２により指示された選択対象の「決定」をする場合、使用者は、通信装置１０の上面部１００の中央位置に携帯機器２０を移動する。
【００４８】
携帯機器２０の通信部２１０は、その移動に従って、通信装置１０の通信部１１０（１１０ａ乃至１１０ｅの何れか）と３ｃｍ程度の所定距離内に位置したとき、通信部１１０（１１０ａ乃至１１０ｅの何れか）と相互に電界結合を行う。
【００４９】
これに応じて、通信部２１０と相互に電界結合した通信部１１０（１１０ａ乃至１１０ｅの何れか）は、それぞれ電界結合により発生した電界の強度を検出し、当該電界強度を表す電界信号を、制御部１２０に供給する。
【００５０】
制御部１２０は、当該通信部１１０から電界信号を受け取ると、タイマ割り込み等により、プログラム記憶部１３１ａから通信制御プログラムを読み出す。制御部１２０は、トップメニューに示された各選択項目３１ａ乃至３１ｃの何れかを選択する選択処理を行うため、この局面では図９に示す選択処理を実行する（図９のＳＴＡＲＴ）。
【００５１】
制御情報取得部１２０ａは、通信部１１０（１１０ａ乃至１１０ｅの何れか）から受け取った電界信号を用いて、携帯機器２０の通信部２１０に最も近い通信部を特定する（図９のステップＳ９０１）。
【００５２】
ここで、制御部１２０が受け取る電界信号により表される電界強度は、通信部１１０と通信部２１０との間（結合用電極間）の距離の４乗に反比例する。つまり、制御情報取得部１２０ａは、電界強度が最大である電界信号を制御部１２０に供給した通信部１１０を、通信部２１０に最も近い通信部として特定する。
【００５３】
なお、制御情報取得部１２０ａは、使用者の誤操作等を防ぐため、一定時間以上、予め設定された値以上の電界強度を表す電界信号が制御部１２０に供給された場合にのみ、通信部２１０に最も近い通信部１１０の特定を行うようにしても良い。
【００５４】
また、制御情報取得部１２０ａは、通信部２１０との距離が最も近く、その距離が同じ通信部を２つ以上特定した場合、予め設定された優先順位に従って通信部２１０に最も近い通信部１１０の特定を行うようにしても良い。
【００５５】
その後、制御情報取得部１２０ａは、ステップＳ９０１で特定した、携帯機器２０の通信部２１０に最も近い通信部に対応する制御情報を、制御情報記憶部１３１ｂから取得する（図９のステップＳ９０２）。
【００５６】
具体的に、制御情報取得部１２０ａが通信部１１０ａを携帯機器２０の通信部２１０に最も近い通信部として特定した場合（図９のステップＳ９０１）、制御情報取得部１２０ａは、図３に示すテーブルから識別情報「１１０ａ」に基づいて「決定」を行う処理を示す選択情報を制御情報記憶部１３１ｂから取得し（図９のステップＳ９０２）する。次に、制御部１２０は、表示装置３０の画面に表示されたカーソル３２により指示された項目の「決定」を行う（図９のステップＳ９０３）。つまり、この局面では、通信部１１０ａは決定キーとして機能し、制御部１２０は、使用者が行った決定キーの操作に基づいて、表示装置３０の画面に表示されたカーソル３２により指示された項目に対応する処理を実行する制御を行う。
【００５７】
また、制御情報取得部１２０ａが通信部１１０ｂを携帯機器２０の通信部２１０に最も近い通信部として特定した場合（図９のステップＳ９０１）、制御情報取得部１２０ａは、図３に示すテーブルから「上方向」に移動する処理を示す選択情報を制御情報記憶部１３１ｂから取得し（図９のステップＳ９０２）、制御部１２０は、表示装置３０の画面に表示されたカーソル３２を「上方向」に移動する（図９のステップＳ９０３）。つまり、この局面では、通信部１１０ｂは上カーソルキーとして機能し、制御部１２０は、使用者が行った上カーソルキーの操作に基づいて、表示装置３０の画面に表示されたカーソル３２を上方向にある項目に移動し、当該項目を指示する制御を行う。
【００５８】
また、制御情報取得部１２０ａが通信部１１０ｃを携帯機器２０の通信部２１０に最も近い通信部として特定した場合（図９のステップＳ９０１）、制御情報取得部１２０ａは、「下方向」に移動する処理を示す選択情報を制御情報記憶部１３１ｂから取得し（図９のステップＳ９０２）、制御部１２０は、表示装置３０の画面に表示されたカーソル３２を「下方向」に移動する（図９のステップＳ９０３）。つまり、この局面では、通信部１１０ｃは下カーソルキーとして機能し、制御部１２０は、使用者が行った上カーソルキーの操作に基づいて、表示装置３０の画面に表示されたカーソル３２を下方向にある項目に移動し、当該項目を指示する制御を行う。
【００５９】
次に、通信装置１０が行う上記のストリーミング動作について説明を行う。本実施の形態では、使用者が携帯機器２０を移動する操作に従って、制御部１２０が、表示装置３０の画面に表示されたストリーミング処理を示す選択項目３１ａにカーソル３２を移動し、当該選択項目３１ａの決定を行う。図１２（ｂ）に示すように、使用者がカーソル３２の移動により選択された項目を認識しやすいように、表示装置３０は、制御部１２０の制御のもと、カーソル３２により指示された項目（ここでは選択項目３１ａ）を反転表示または点滅表示等する。
【００６０】
次に、図１０を参照して、通信装置１０の制御部１２０が実行するストリーミング処理を説明する。なお、以下、図８に示した上記トップメニューから選択項目を決定する処理や、図９に示した選択処理と同様の処理については、適宜に重複する説明を省略する。
【００６１】
制御部１２０は、携帯機器２０の通信部２１０と相互に電界結合を行っている通信部１１０（例えば通信部１１０ａ）を介して、携帯機器２０の記憶部（図示しない）等のディレクトリを参照する。次に、制御部１２０は、ストリーミングが可能なファイル（フォルダを含む）の一覧を表すデータを作成し、これを表示装置３０に供給する。表示装置３０は、当該一覧データを制御部１２０から受け取り、制御部１２０の制御のもと、ストリーミング可能ファイル等の一覧を表示する（図１０のステップＳ１００１）。
【００６２】
表示装置３０の画面（表示パネル）には、図１３に示すように、携帯機器２０において記憶、管理されているストリーミング可能なファイル等の一覧が階層表示（ツリー表示）される。このとき、表示装置３０の画面上のカーソル３２の位置を使用者が認識しやすいように、表示装置３０は、制御部１２０の制御のもと、カーソル３２により指示されたファイル等（例えば、最上層のファイル）を反転表示または点滅表示等する。制御部１２０は、使用者の操作によりストリーミングを行う対象のファイルが選択されるのを待ち受ける。
【００６３】
使用者は、表示装置３０の画面に表示されたストリーミング可能なファイル等の一覧とカーソル３２とを確認し、上記トップメニューから選択項目を決定したときに使用者が行った操作と同様、通信装置１０の上面部１００付近で携帯機器２０を移動させる。
【００６４】
例えば、同じ階層の一つ上又は下にあるファイル等を選択する場合、使用者は、通信装置１０の上面部１００の中央から上方向の位置又は下の位置に携帯機器２０をそれぞれ移動する。
【００６５】
また、一つ下の階層又は上の階層にあるファイル等を選択する場合、使用者は、通信装置１０の上面部１００の中央から右方向の位置又は左の位置に携帯機器２０をそれぞれ移動する。
【００６６】
また、表示装置３０の画面に表示されたカーソル３２により指示されたファイルをストリーミング対象のファイルとして「決定」する場合、使用者は、通信装置１０の上面部１００の中央位置に携帯機器２０を移動する。
【００６７】
携帯機器２０の移動に従って、携帯機器２０の通信部２１０と相互に電界結合した通信装置１０の通信部１１０（１１０ａ乃至１１０ｅの何れか）は、制御部１２０に電界信号を供給すると、制御部１２０は、図９に示す選択処理を実行する（上記ステップＳ９０１乃至９０３）。
【００６８】
具体的には、制御情報取得部１２０ａが選択対象の「決定」を行う処理を示す選択情報を制御情報記憶部１３１ｂから取得した場合、制御部１２０は、表示装置３０の画面に表示されたカーソル３２により指示されたファイルをストリーミング対象のファイルとして決定する。
【００６９】
また、制御情報取得部１２０ａがカーソルを「上方向」に移動する処理を示す選択情報又は「下方向」に移動する処理を示す選択情報を制御情報記憶部１３１ｂから取得した場合、制御部１２０は、表示装置３０の画面に表示されたカーソル３２を「上方向」又は「下方向」にそれぞれ移動して同じ階層の一つ上にあるファイル等を選択する。
【００７０】
また、制御情報取得部１２０ａがカーソルを「右方向」に移動する処理を示す選択情報又は「左方向」に移動する処理を示す選択情報を制御情報記憶部１３１ｂから取得した場合、制御部１２０は、表示装置３０の画面に表示されたカーソル３２を「右方向」又は「左方向」にそれぞれ移動して一つ下の階層にあるファイル等を選択する。
【００７１】
表示装置３０の画面に表示されていたカーソル３２は、制御情報取得部１２０ａが取得した選択情報に従って移動する。このとき、使用者がカーソル３２の移動により選択されたファイル等を認識しやすいように、表示装置３０は、制御部１２０の制御のもと、カーソル３２により指示されたファイル等を反転表示や点滅表示等する。
【００７２】
その後、制御部１２０は、表示装置３０の画面に表示されたストリーミング可能ファイル等の一覧からストリーミングされるファイルが決定されたか否かを判定する（図１０のステップＳ１００２）。
【００７３】
上記選択処理においてストリーミングを行う対象のファイル等が決定されていない場合（ステップ１００２；Ｎｏ）、制御部１２０は、ステップＳ１００１に戻り、カーソル３２移動後のストリーミング可能ファイル等の一覧を表示装置３０に表示する制御を行う。一方、上記選択処理においてストリーミングを行う対象のファイル等が決定された場合（ステップＳ１００２；Ｙｅｓ）、制御部１２０は、確認画面を表示装置３０の画面（表示パネル）に表示する（図１０のステップＳ１００３）。
【００７４】
表示装置３０の画面には、上記選択処理（図９のステップＳ９０１乃至Ｓ９０３）により選択、決定された、ストリーミングを行う対象のファイル名等が表示される。表示装置３０は、制御部１２０の制御のもと、例えば、図１４に示すように、上記選択処理を行って決定したファイルのストリーミングを行うか否かを、使用者に選択させる確認画面を表示する（ステップＳ１００３）。制御部１２０は、当該ファイルのストリーミングを実行するか否かを選択する使用者の操作を待ち受ける。
【００７５】
使用者は、表示装置３０の画面に表示された項目（図１４に示すＹｅｓとＮｏの項目）とカーソル３２とを確認し、上記と同様、通信装置１０の上面部１００付近で携帯機器２０を移動する。
【００７６】
携帯機器２０の移動に従って、携帯機器２０の通信部２１０と相互に電界結合した通信装置１０の通信部１１０（１１０ａ乃至１１０ｅの何れか）は、制御部１２０に電界信号を供給する。制御部１２０は、当該通信部１１０から電界信号を受け取ると、上記と同様、図９に示す選択処理を実行する（上記ステップＳ９０１乃至９０３）。
【００７７】
その後、制御部１２０は、表示装置３０に表示された確認画面において、ストリーミングを実行する選択がされたか否かを判定する（図１０のステップＳ１００４）。
【００７８】
上記選択処理においてストリーミングの実行が決定されなかった場合（Ｎｏの項目が決定された場合）（ステップ１００４；Ｎｏ）、制御部１２０は、ステップＳ１００１に戻り上記処理を繰り返す。一方、上記選択処理において、ストリーミングの実行が決定された場合（Ｙｅｓの項目が決定された場合）（ステップＳ１００４；Ｙｅｓ）、制御部１２０は、上記ストリーミングを行う対象のファイルのストリーミングを実行し、ストリーミングデータを表示装置３０に再生表示する制御を行う（図１０のステップＳ１００５）。
【００７９】
その後、制御部１２０は、通信装置１０と携帯機器２０との間で行う通信を制御する。上記図９に示す選択処理において決定キーとして機能する通信部１１０ａは、制御部１２０の制御のもと、携帯機器２０の通信部２１０との間で通信を行う。通信部１１０ａは、上記選択処理により決定したストリーミングされるファイルを指定し、これを携帯機器２０の通信部２１０に要求する。
【００８０】
これに応じて、携帯機器２０の通信部２１０は、携帯機器２０の制御部（図示しない）の制御のもと、要求されたファイルをストリーミングデータとして、所定の通信帯域（例えば、数１０Ｍｂｐｓ）により、通信部１１０ａに送信する。通信部１１０ａは、通信部２１０から順次受信したストリーミングデータを制御部１２０に供給する。制御部１２０は、通信部１１０ａから順次受け取るストリーミングデータをもとに、例えばＲＧＢデータ等の表示用データを生成し、生成した表示用データを表示装置３０の駆動回路に供給する。駆動回路は、制御部１２０から供給された表示用のデータに基づいて表示パネルを駆動し、表示用データによって表される各種映像を表示装置３０の画面（表示パネル）に表示させる。
【００８１】
また、表示装置３０の画面（表示パネル）には、図１５に示すように、再生キー１５ａ、早送りキー１５ｂ、巻戻しキー１５ｃ、次チャプターキー１５ｄ、前チャプターキー１５ｅ等、ストリーミングデータの表示制御の内容（使用者が行った操作に対応して行われる表示制御の内容）を表す各種キーが表示される。各種キー１５ａ乃至１５ｅは、現在のストリーミングデータの表示制御の内容を使用者が認識しやすいように、表示装置３０は、制御部１２０の制御のもと、表示制御の内容に対応する各種キー１５の反転表示や点滅表示等する。例えば、現在のストリーミングデータが通常再生により表示装置３０の画面に表示されている場合、通常再生に相当する再生キー１５ａが反転表示等される。
【００８２】
その後、制御部１２０は、ストリーミングデータの表示制御を要求する使用者の操作を待ち受ける。
【００８３】
使用者は、表示装置３０の画面に再生表示されているストリーミングデータ、各種キー１５（１５ａ乃至１５ｅ）を確認し、上記と同様、通信装置１０の上面部１００付近で携帯機器２０を移動する。
【００８４】
例えば、表示装置３０の画面に表示されているストリーミングデータを早送りする場合及び巻戻す場合において、使用者は、通信装置１０の上面部１００の中央から上方向の位置及び下方向の位置に携帯機器２０をそれぞれ移動する。
【００８５】
また、表示装置３０の画面に表示されているストリーミングデータを次のチャプターに進める場合及び前のチャプターに戻す場合において、使用者は、通信装置１０の上面部１００の中央から右方向の位置及び左方向の位置に携帯機器２０を移動する。
【００８６】
また、表示装置３０の画面に表示されているストリーミングデータを通常の再生速度で再生する場合、使用者は、通信装置１０の上面部１００の中央位置に携帯機器２０を移動する。
【００８７】
携帯機器２０の移動に従って、携帯機器２０の通信部２１０と相互に電界結合した通信装置１０の通信部１１０（１１０ａ乃至１１０ｅの何れか）は、制御部１２０に電界信号を供給する。
【００８８】
制御部１２０は、当該通信部１１０から電界信号を受け取ると、タイマ割り込み等により、プログラム記憶部１３１ａから通信制御プログラムを読み出す。制御部１２０は、表示装置３０の画面に表示されたストリーミングデータの表示制御を行うため、この局面では図１１に示す表示制御処理を実行する（図１１のＳＴＡＲＴ）。
【００８９】
具体的に、制御情報取得部１２０ａが通信部１１０ｂを携帯機器２０の通信部２１０に最も近い通信部として特定した場合（図１１のステップＳ１１０１）、制御情報取得部１２０ａは、制御情報記憶部１３１ｂに記憶された図４のテーブルから識別情報「１１０ｂ」に基づいて「早送り」を表す表示制御情報を取得し（図１１のステップＳ１１０２）する。次に、制御情報取得部１２０ａを有する制御部１２０は、表示装置３０の画面に表示されたデータを早送りする制御を行う（図１１のステップＳ１１０３）。つまり、この局面では、通信部１１０ｂは早送りキーとして機能し、制御部１２０は、使用者が行った早送りキー操作に基づいて、表示装置３０の画面に表示されたデータを早送りする。
【００９０】
また、制御情報取得部１２０ａが「早送り」を表す表示制御情報を制御情報記憶部１３１ｂから取得した場合、制御情報取得部１２０ａは、通信部１１０ａ及び１１０ｂから供給された電界信号により表される電界強度に基づいて、早送り速度を制御する早送り速度制御情報を、制御情報記憶部１３１ｂが記憶する図５のテーブルから取得する。
【００９１】
具体的には、制御情報取得部１２０ａは、通信部１１０ａの電界強度Ｅｃ１と、通信部１１０ｂの電界強度Ｅｃ２との差の値（Ｘ＝Ｅｃ２−Ｅｃ１）を求め、その値（Ｘ）が含まれる範囲に対応付けられた早送り速度制御情報を図５のテーブルから取得する。
【００９２】
次に、制御部１２０は、制御情報取得部１２０ａが取得した早送り速度制御情報により表される早送り速度により、表示装置３０の画面に表示されたデータを早送りする制御を行う。例えば、電界強度Ｅｃ１と、通信部１１０ｂの電界強度Ｅｃ２との差の値がａ＜Ｘ≦ｂの範囲にある場合「１．５倍速」の早送り速度を表す早送り速度制御情報を取得し、制御部１２０は、表示装置３０の画面に表示されたデータを１．５倍速で早送りを行う。つまり、携帯機器２０を、通信部１１０ａ，１１０ｂ間で移動することにより、通信部１１０ａ，１１０ｂと通信部２１０との位置関係に応じて、早送り速度を調節することができる。
【００９３】
また、制御情報取得部１２０ａが通信部１１０ｃを携帯機器２０の通信部２１０に最も近い通信部として特定した場合（図１１のステップＳ１１０１）、制御情報取得部１２０ａは、図４のテーブルから識別情報「１１０ｃ」に基づいて「巻戻し」を表す表示制御情報を取得し（図１１のステップＳ１１０２）、制御部１２０は、表示装置３０の画面に表示されたデータを巻き戻す制御を行う（図１１のステップＳ１１０３）。つまり、この局面では、通信部１１０ｃは巻き戻しキーとして機能し、制御部１２０は、使用者が行った巻き戻しキー操作に基づいて、表示装置３０の画面に表示されたデータを巻き戻す。
【００９４】
また、制御情報取得部１２０ａが「巻戻し」を表す表示制御情報を制御情報記憶部１３１ｂから取得した場合、制御情報取得部１２０ａは、通信部１１０ａ及び１１０ｃから供給された電界信号により表される電界強度に基づいて、巻戻し速度を制御する巻戻し速度制御情報を、制御情報記憶部１３１ｂが記憶する図６のテーブルから取得する。
【００９５】
制御情報取得部１２０ａは、通信部１１０ａの電界強度Ｅｃ１と、通信部１１０ｃの電界強度Ｅｃ３との差の値（Ｙ＝Ｅｃ３−Ｅｃ１）を求め、その値（Ｙ）が含まれる範囲に対応付けられた巻戻し速度制御情報を図６のテーブルから取得する。
【００９６】
制御部１２０は、制御情報取得部１２０ａが取得した巻戻し速度制御情報により表される巻戻し速度により、表示装置３０の画面に表示されたデータを巻き戻す制御を行う。例えば、電界強度Ｅｃ１と、通信部１１０ｂの電界強度Ｅｃ３との差の値がｇ＜Ｙ≦ｈの範囲にある場合「３倍速」の巻戻し速度を表す巻戻し速度制御情報を取得し、制御部１２０は、表示装置３０の画面に表示されたデータを３倍速で巻戻しを行う。つまり、携帯機器２０を、通信部１１０ａ，１１０ｃ間で移動することにより、通信部１１０ａ，１１０ｂと通信部２１０との位置関係に応じて、巻き戻し速度を調節することができる。
【００９７】
また、制御情報取得部１２０ａが携帯機器２０の通信部２１０に最も近い通信部として通信部１１０ｄを特定した場合及び通信部１１０ｅを特定した場合（図１１のステップＳ１１０１）、「次のチャプター」に移動する表示制御情報及び「前のチャプター」に移動する表示制御情報を制御情報記憶部１３１ｂからそれぞれ取得し（図１１のステップＳ１１０２）、制御部１２０は、表示装置３０の画面に表示されたデータにより表される現在のチャプターを次のチャプターに進める表示制御及び前のチャプターに進める表示制御を行う（図１１のステップＳ１１０３）。つまり、この局面では、通信部１１０ｄは次チャプターキーとして機能し、制御部１２０は、使用者が行った次チャプターキー操作に基づいて、表示装置３０の画面に表示されたデータを次のチャプターに進める。またつまり、この局面では、通信部１１０ｄは前チャプターキーとして機能し、制御部１２０は、使用者が行った前チャプターキー操作に基づいて、表示装置３０の画面に表示されたデータを前のチャプターに戻す。
【００９８】
また、制御情報取得部１２０ａが通信部１１０ａを携帯機器２０の通信部２１０に最も近い通信部として特定した場合（図１１のステップＳ１１０１）、制御情報取得部１２０ａは、「通常再生（１倍速再生）」を行う表示制御情報を制御情報記憶部１３１ｂから取得し（図１１のステップＳ１１０２）、制御部１２０は、表示装置３０の画面に表示されたデータを通常の速度（１倍速）で再生する表示制御を行う（図１１のステップＳ１１０３）。つまり、この局面では、通信部１１０ａは再生キーとして機能し、制御部１２０は、使用者が行った再生キー操作に基づいて、表示装置３０の画面に表示されたデータを通常の速度（１倍速）で再生する。
【００９９】
その後、制御部１２０は、例えば、上記表示制御処理を行った後、または一定時間毎に、表示装置３０の画面に表示されているストリーミングデータの再生が終了したか否かを判定する（図１１のステップＳ１１０６）。
【０１００】
ストリーミングデータの再生が終了していない場合（ステップ１００６；Ｎｏ）、制御部１２０は、ステップＳ１００５に戻り、表示装置３０の画面においてストリーミングデータの表示を継続して行い、制御部１２０は、ストリーミングデータの表示制御を要求する使用者の操作を待ち受ける。使用者は、ストリーミングデータの再生が終了するまで（ステップＳ１００６；Ｙｅｓ）、通信装置１０の上面部１００付近で携帯機器２０を移動させることにより、各種操作キーとして機能する通信部１１０ａ乃至１１０ｅの何れかを介して表示装置３０の画面に表示されているストリーミングデータの表示制御を要求することができる。一方、ストリーミングデータの再生が終了した場合（ステップＳ１００６；Ｙｅｓ）、制御部１２０は、ストリーミング処理を終了する（図１０のＥＮＤ）、その後、制御部１２０は、ステップＳ８０１に戻り、トップメニューを再表示する。
【０１０１】
なお、本実施の形態では、トップメニューの選択項目３１ａが決定されたことに従って、これに対応するストリーミング処理を行ったが、他の選択項目３１ｂ，３１ｃが決定された場合も、これと同様にして行うことができる。
【０１０２】
例えば、図１２（ａ）のダウンロード処理を示す選択項目３１ｂが決定された場合、当該ダウンロード処理を実行するためには、ダウンロード対象のファイルの指定、当該ファイルの格納先となるフォルダの指定、及びダウンロードの実行の決定を行う必要があるが、これらも、使用者が通信装置１０の上面部１００付近で携帯機器２０を移動することにより行うことができる。
【０１０３】
また、図１２（ａ）のダウンロード済みデータの再生処理を示す選択項目３１ｃが選択、決定された場合、当該データの再生処理を実行するためには、再生対象となるファイルの指定、当該ファイルの再生を実行する決定、及び表示装置３０の画面に表示される再生データの表示制御を行う必要があるが、これらも、上記と同様、使用者が通信装置１０の上面部１００付近で携帯機器２０を移動することにより行うことができる。
【０１０４】
以上、本実施形態に係る通信装置１０によれば、使用者が通信装置１０の上面部１００の付近で携帯機器２０を移動する簡単な操作により、ダウンロード、ストリーミング、ダウンロード済みのデータ再生等の処理を実行することができる。これにより、特に、データ通信前とデータ通信中の使用者の操作性を高めることができる。
【０１０５】
なお、上記実施形態では、電界結合を利用して通信装置間で無線通信を形態について説明したが、本発明は、これに限定されるものではなく、磁界結合を利用する場合でも同様に実施することができる。
【０１０６】
また、上記実施形態の通信制御プログラムは、持ち運び可能な記録媒体（ＣＤ−ＲＯＭ（Compact Disk Read Only Memory）、又は、ＤＶＤ−ＲＯＭ（Digital Versatile Disk Read Only Memory）等）に記録され、通信装置１０に供給されてもよい。また、当該通信制御プログラムは、ネットワークを介して通信装置１０に供給されてもよい。当該通信制御プログラムが記録された一次記憶装置１２２、二次記憶装置１３１、又は、持ち運び可能な記録媒体４０は、コンピュータが読み取り可能なプログラム製品になる。さらに、当該通信制御プログラムは、機能の少なくとも一部が専用回路によって実現されたコンピュータを動作させるものであってもよい。つまり、コンピュータは、全体として、上述の処理を行うものであればよく、プログラムは、そのようなコンピュータを動作させるものであればよい。
【０１０７】
その他、本実施形態の通信装置１０の各構成は、適宜に、分割、組み合わせて実現することも可能である。例えば、通信装置１０は、接続する機器を通信装置１０の構成として用いても良い。具体的に、パーソナルコンピュータを通信装置１０として用いる場合、コンピュータ本体に、制御部１２０、記憶部１３０、読出・書込部１４０を備え、その他の通信部１１０ａ乃至１１０ｅを構成する装置をコンピュータ本体に接続して使用することもできる。
【０１０８】
その他、本発明は上記の実施形態及び図面によって限定されるものではなく、上記の実施形態及び図面に適宜変更等を加えることは可能である。
【符号の説明】
【０１０９】
１０・・・通信装置、１００・・・上面部、１１０ａ乃至１１０ｅ・・・通信部、１１１ａ乃至１１１ｅ・・・電界カプラ素子、１１２ａ乃至１１２ｅ・・・電界検出回路、１２０・・・制御部、１２０ａ・・・制御情報取得部、１２１・・・ＣＰＵ、１２２・・・一次記憶装置、１２３・・・送受信回路、１３０・・・記憶部、１３１ａ・・・プログラム記憶部、１３１ｂ・・・制御情報記憶部、１４０・・・読出・書込部、１４１・・・メディアコントローラ、２０・・・携帯機器、２１０・・・通信部、３０・・・表示装置、４０・・・記録媒体
【図１】
2011205597.tif 000003
【図２】
2011205597.tif 000004
【図３】
2011205597.tif 000005
【図４】
2011205597.tif 000006
【図５】
2011205597.tif 000007
【図６】
2011205597.tif 000008
【図７】
2011205597.tif 000009
【図８】
2011205597.tif 000010
【図９】
2011205597.tif 000011
【図１０】
2011205597.tif 000012
【図１１】
2011205597.tif 000013
【図１２】
2011205597.tif 000014
【図１３】
2011205597.tif 000015
【図１４】
2011205597.tif 000016
【図１５】
2011205597.tif 000017
【手続補正書】
【提出日】平成23年4月7日(2011.4.7)
【手続補正１】
【補正対象書類名】明細書
【補正対象項目名】００１９
【補正方法】変更
【補正の内容】
【００１９】
制御部１２０は、プロセッサ等から構成され、通信装置１０の各部の制御を含む通信装置１０全体の制御を行う。また、制御部１２０は、電界強度を検出した通信部１１０（つまり、通信部１１０ａ乃至１１０ｅの何れか）から受け取る電界信号を用いて、携帯機器２０の通信部２１０に最も近い通信部１１０を特定し、特定した通信部１１０に対応する制御情報を制御情報記憶部１３０ｂから取得する制御情報取得部１２０ａを備える。制御部１２０は、制御情報取得部１２０ａが取得した制御情報に基づいて制御情報で示される所定の制御を行う。
【手続補正２】
【補正対象書類名】明細書
【補正対象項目名】００２０
【補正方法】変更
【補正の内容】
【００２０】
記憶部１３０は、制御部１２０の制御のもと、制御部１２０が処理中に生成したデータ、例えば、ＤＶＤ（Digital Versatile Disc）、ブルーレイディスク（Blue-ray Disc）、又はフラッシュメモリカードなどの記録媒体４０から読み出した記録データ等、各種データを適宜記憶する。また、記憶部１３０は、プログラム記憶部１３０ａ及び制御情報記憶部１３０ｂを備える。
【手続補正３】
【補正対象書類名】明細書
【補正対象項目名】００２１
【補正方法】変更
【補正の内容】
【００２１】
プログラム記憶部１３０ａは、制御部１２０が読み出して実行する後述の通信制御プログラムを記憶している。制御情報記憶部１３０ｂは、各通信部１１０ａ乃至１１０ｅの識別情報と、各通信部１１０ａ乃至１１０ｅが電界結合されたことに応答して実行する制御の内容を示す制御情報とを対応付けて記憶している。
【手続補正４】
【補正対象書類名】明細書
【補正対象項目名】００２２
【補正方法】変更
【補正の内容】
【００２２】
ここで、各通信部１１０ａ乃至１１０ｅは、唯１つの操作に使用されるのではなく、この通信システム１の動作の場面に応じて様々な操作に使用される。このため、１つの各通信部１１０ａ乃至１１０ｅには、動作局面に応じて、複数の制御情報が対応付けられている。よって、制御情報記憶部１３０ｂは、各通信部１１０ａ乃至１１０ｅの識別情報と複数の制御情報とを対応付けて記憶している。
【手続補正５】
【補正対象書類名】明細書
【補正対象項目名】００２３
【補正方法】変更
【補正の内容】
【００２３】
例えば、通信装置１０は、携帯機器２０の移動に従って、メニュー上のカーソルを移動し、カーソルが指示する項目を選択・決定する動作（以下、選択動作という）を行う。このような動作局面に備えて、制御情報記憶部１３０ｂには、例えば、図３に示すように、通信部１１０の識別情報と選択処理の内容を示す制御情報（以下区別のため、選択情報と呼ぶ）とが対応付けられて記憶されている。具体的に説明すると、制御情報記憶部１３０ｂは、通信部１１０ａの識別情報と選択対象の「決定（選択）」処理を示す制御情報、通信部１１０ｂの識別情報とカーソルを「上方向」に移動する処理を示す制御情報、通信部１１０ｃの識別情報とカーソルを「下方向」に移動する処理を示す制御情報、通信部１１０ｄの識別情報とカーソルを「右方向」に移動する処理を示す情報、通信部１１０ｅの識別情報とカーソルを「左方向」に移動する処理を示す情報を、それぞれ対応付けて記憶している。
【手続補正６】
【補正対象書類名】明細書
【補正対象項目名】００２５
【補正方法】変更
【補正の内容】
【００２５】
例えば、通信装置１０は、携帯機器２０が記憶しているデータをストリーミング受信し、表示装置３０に出力する動作（以下、ストリーミング動作という）を行う。このような動作局面に備えて、制御情報記憶部１３０ｂには、例えば、図４に示すように、通信部１１０の識別情報と表示装置３０の画面に表示するデータの表示制御の内容を表す表示制御情報（以下、区別のため、表示制御情報と呼ぶ）とが対応付けられて記憶されている。具体的に説明すると、制御情報記憶部１３０ｂは、通信部１１０ａの識別情報と「通常再生（１倍速再生）」を行う表示制御情報、通信部１１０ｂの識別情報と「早送り」を行う表示制御情報、通信部１１０ｃの識別情報と「巻戻し」を行う表示制御情報、通信部１１０ｄの識別情報と「次のチャプター」に移動する表示制御情報、通信部１１０ｅの識別情報と「前のチャプター」に移動する表示制御情報を、それぞれ対応付けて記憶している。
【手続補正７】
【補正対象書類名】明細書
【補正対象項目名】００２７
【補正方法】変更
【補正の内容】
【００２７】
また、制御情報記憶部１３０ｂは、ストリーミングの早送り速度を制御する早送り速度制御情報を記憶している。この早送り速度制御情報は、通信部１１０ａが検出する電界強度をＥｃ１、通信部１１０ｂが検出する電界強度をＥｃ２として、その差を求めた値（Ｘ＝Ｅｃ２−Ｅｃ１）について、一定の範囲毎に、ストリーミングの早送り速度を対応付けた情報である。
【手続補正８】
【補正対象書類名】明細書
【補正対象項目名】００２８
【補正方法】変更
【補正の内容】
【００２８】
例えば、制御情報記憶部１３０ｂは、図５に示すように、通信部１１０ａが検出する電界強度（Ｅｃ１）と通信部１１０ｂが検出する電界強度（Ｅｃ２）との差の値（Ｘ＝Ｅｃ２−Ｅｃ１）について、ａ＜Ｘ≦ｂの場合「１．５倍速」、ｂ＜Ｘ≦ｃの場合「３倍速」、ｃ＜Ｘ≦ｄの場合「４．５倍速」、ｄ＜Ｘ≦ｅの場合「６倍速」というように、所定の通信部１１０ａ及び１１０ｂからそれぞれ得られる電界強度の差の値を一定の範囲毎に分け、一定の範囲毎に分けた電界強度の差の値と早送り速度の値とを対応付ける。
【手続補正９】
【補正対象書類名】明細書
【補正対象項目名】００２９
【補正方法】変更
【補正の内容】
【００２９】
また、制御情報記憶部１３０ｂは、ストリーミングの巻戻し速度を制御する巻き戻し速度制御情報を記憶している。この巻き戻し速度制御情報は、通信部１１０ａが検出する電界強度をＥｃ１、通信部１１０ｃが検出する電界強度をＥｃ３として、その差を求めた値（Ｙ＝Ｅｃ３−Ｅｃ１）について、一定の範囲毎に、ストリーミングの巻戻し速度の値とを対応付けた情報である。
【手続補正１０】
【補正対象書類名】明細書
【補正対象項目名】００３０
【補正方法】変更
【補正の内容】
【００３０】
例えば、制御情報記憶部１３０ｂは、図６に示すように、通信部１１０ａが検出する電界強度（Ｅｃ１）と通信部１１０ｃが検出する電界強度（Ｅｃ３）との差の値（Ｙ＝Ｅｃ３−Ｅｃ１）について、ｆ＜Ｙ≦ｇの場合「１．５倍速」、ｇ＜Ｙ≦ｈの場合「３倍速」、ｈ＜Ｙ≦ｉの場合「４．５倍速」、ｉ＜Ｙ≦ｊの場合「６倍速」というように、所定の通信部１１０ａ，１１０ｃから得られる電界強度の差の値を一定の範囲毎に分け、一定の範囲毎に分けた電界強度の差の値と巻戻し速度の値とを対応付ける。
【手続補正１１】
【補正対象書類名】明細書
【補正対象項目名】００５０
【補正方法】変更
【補正の内容】
【００５０】
制御部１２０は、当該通信部１１０から電界信号を受け取ると、タイマ割り込み等により、プログラム記憶部１３０ａから通信制御プログラムを読み出す。制御部１２０は、トップメニューに示された各選択項目３１ａ乃至３１ｃの何れかを選択する選択処理を行うため、この局面では図９に示す選択処理を実行する。
【手続補正１２】
【補正対象書類名】明細書
【補正対象項目名】００５５
【補正方法】変更
【補正の内容】
【００５５】
その後、制御情報取得部１２０ａは、ステップＳ９０１で特定した、携帯機器２０の通信部２１０に最も近い通信部に対応する制御情報を、制御情報記憶部１３０ｂから取得する（図９のステップＳ９０２）。
【手続補正１３】
【補正対象書類名】明細書
【補正対象項目名】００５６
【補正方法】変更
【補正の内容】
【００５６】
具体的に、制御情報取得部１２０ａが通信部１１０ａを携帯機器２０の通信部２１０に最も近い通信部として特定した場合（図９のステップＳ９０１）、制御情報取得部１２０ａは、図３に示すテーブルから識別情報「１１０ａ」に基づいて「決定」を行う処理を示す選択情報を制御情報記憶部１３０ｂから取得し（図９のステップＳ９０２）する。次に、制御部１２０は、表示装置３０の画面に表示されたカーソル３２により指示された項目の「決定」を行う（図９のステップＳ９０３）。つまり、この局面では、通信部１１０ａは決定キーとして機能し、制御部１２０は、使用者が行った決定キーの操作に基づいて、表示装置３０の画面に表示されたカーソル３２により指示された項目に対応する処理を実行する制御を行う。
【手続補正１４】
【補正対象書類名】明細書
【補正対象項目名】００５７
【補正方法】変更
【補正の内容】
【００５７】
また、制御情報取得部１２０ａが通信部１１０ｂを携帯機器２０の通信部２１０に最も近い通信部として特定した場合（図９のステップＳ９０１）、制御情報取得部１２０ａは、図３に示すテーブルから「上方向」に移動する処理を示す選択情報を制御情報記憶部１３０ｂから取得し（図９のステップＳ９０２）、制御部１２０は、表示装置３０の画面に表示されたカーソル３２を「上方向」に移動する（図９のステップＳ９０３）。つまり、この局面では、通信部１１０ｂは上カーソルキーとして機能し、制御部１２０は、使用者が行った上カーソルキーの操作に基づいて、表示装置３０の画面に表示されたカーソル３２を上方向にある項目に移動し、当該項目を指示する制御を行う。
【手続補正１５】
【補正対象書類名】明細書
【補正対象項目名】００５８
【補正方法】変更
【補正の内容】
【００５８】
また、制御情報取得部１２０ａが通信部１１０ｃを携帯機器２０の通信部２１０に最も近い通信部として特定した場合（図９のステップＳ９０１）、制御情報取得部１２０ａは、「下方向」に移動する処理を示す選択情報を制御情報記憶部１３０ｂから取得し（図９のステップＳ９０２）、制御部１２０は、表示装置３０の画面に表示されたカーソル３２を「下方向」に移動する（図９のステップＳ９０３）。つまり、この局面では、通信部１１０ｃは下カーソルキーとして機能し、制御部１２０は、使用者が行った下カーソルキーの操作に基づいて、表示装置３０の画面に表示されたカーソル３２を下方向にある項目に移動し、当該項目を指示する制御を行う。
【手続補正１６】
【補正対象書類名】明細書
【補正対象項目名】００６８
【補正方法】変更
【補正の内容】
【００６８】
具体的には、制御情報取得部１２０ａが選択対象の「決定」を行う処理を示す選択情報を制御情報記憶部１３０ｂから取得した場合、制御部１２０は、表示装置３０の画面に表示されたカーソル３２により指示されたファイルをストリーミング対象のファイルとして決定する。
【手続補正１７】
【補正対象書類名】明細書
【補正対象項目名】００６９
【補正方法】変更
【補正の内容】
【００６９】
また、制御情報取得部１２０ａがカーソルを「上方向」に移動する処理を示す選択情報又は「下方向」に移動する処理を示す選択情報を制御情報記憶部１３０ｂから取得した場合、制御部１２０は、表示装置３０の画面に表示されたカーソル３２を「上方向」又は「下方向」にそれぞれ移動して同じ階層の一つ上にあるファイル等を選択する。
【手続補正１８】
【補正対象書類名】明細書
【補正対象項目名】００７０
【補正方法】変更
【補正の内容】
【００７０】
また、制御情報取得部１２０ａがカーソルを「右方向」に移動する処理を示す選択情報又は「左方向」に移動する処理を示す選択情報を制御情報記憶部１３０ｂから取得した場合、制御部１２０は、表示装置３０の画面に表示されたカーソル３２を「右方向」又は「左方向」にそれぞれ移動して一つ下の階層にあるファイル等を選択する。
【手続補正１９】
【補正対象書類名】明細書
【補正対象項目名】００８８
【補正方法】変更
【補正の内容】
【００８８】
制御部１２０は、当該通信部１１０から電界信号を受け取ると、タイマ割り込み等により、プログラム記憶部１３０ａから通信制御プログラムを読み出す。制御部１２０は、表示装置３０の画面に表示されたストリーミングデータの表示制御を行うため、この局面では図１１に示す表示制御処理を実行する。
【手続補正２０】
【補正対象書類名】明細書
【補正対象項目名】００８９
【補正方法】変更
【補正の内容】
【００８９】
具体的に、制御情報取得部１２０ａが通信部１１０ｂを携帯機器２０の通信部２１０に最も近い通信部として特定した場合（図１１のステップＳ１１０１）、制御情報取得部１２０ａは、制御情報記憶部１３０ｂに記憶された図４のテーブルから識別情報「１１０ｂ」に基づいて「早送り」を表す表示制御情報を取得し（図１１のステップＳ１１０２）する。次に、制御情報取得部１２０ａを有する制御部１２０は、表示装置３０の画面に表示されたデータを早送りする制御を行う（図１１のステップＳ１１０３）。つまり、この局面では、通信部１１０ｂは早送りキーとして機能し、制御部１２０は、使用者が行った早送りキー操作に基づいて、表示装置３０の画面に表示されたデータを早送りする。
【手続補正２１】
【補正対象書類名】明細書
【補正対象項目名】００９０
【補正方法】変更
【補正の内容】
【００９０】
また、制御情報取得部１２０ａが「早送り」を表す表示制御情報を制御情報記憶部１３０ｂから取得した場合、制御情報取得部１２０ａは、通信部１１０ａ及び１１０ｂから供給された電界信号により表される電界強度に基づいて、早送り速度を制御する早送り速度制御情報を、制御情報記憶部１３０ｂが記憶する図５のテーブルから取得する。
【手続補正２２】
【補正対象書類名】明細書
【補正対象項目名】００９４
【補正方法】変更
【補正の内容】
【００９４】
また、制御情報取得部１２０ａが「巻戻し」を表す表示制御情報を制御情報記憶部１３０ｂから取得した場合、制御情報取得部１２０ａは、通信部１１０ａ及び１１０ｃから供給された電界信号により表される電界強度に基づいて、巻戻し速度を制御する巻戻し速度制御情報を、制御情報記憶部１３０ｂが記憶する図６のテーブルから取得する。
【手続補正２３】
【補正対象書類名】明細書
【補正対象項目名】００９６
【補正方法】変更
【補正の内容】
【００９６】
制御部１２０は、制御情報取得部１２０ａが取得した巻戻し速度制御情報により表される巻戻し速度により、表示装置３０の画面に表示されたデータを巻き戻す制御を行う。例えば、電界強度Ｅｃ１と、通信部１１０ｃの電界強度Ｅｃ３との差の値がｇ＜Ｙ≦ｈの範囲にある場合「３倍速」の巻戻し速度を表す巻戻し速度制御情報を取得し、制御部１２０は、表示装置３０の画面に表示されたデータを３倍速で巻戻しを行う。つまり、携帯機器２０を、通信部１１０ａ，１１０ｃ間で移動することにより、通信部１１０ａ，１１０ｃと通信部２１０との位置関係に応じて、巻き戻し速度を調節することができる。
【手続補正２４】
【補正対象書類名】明細書
【補正対象項目名】００９７
【補正方法】変更
【補正の内容】
【００９７】
また、制御情報取得部１２０ａが携帯機器２０の通信部２１０に最も近い通信部として通信部１１０ｄを特定した場合及び通信部１１０ｅを特定した場合（図１１のステップＳ１１０１）、「次のチャプター」に移動する表示制御情報及び「前のチャプター」に移動する表示制御情報を制御情報記憶部１３０ｂからそれぞれ取得し（図１１のステップＳ１１０２）、制御部１２０は、表示装置３０の画面に表示されたデータにより表される現在のチャプターを次のチャプターに進める表示制御及び前のチャプターに進める表示制御を行う（図１１のステップＳ１１０３）。つまり、この局面では、通信部１１０ｄは次チャプターキーとして機能し、制御部１２０は、使用者が行った次チャプターキー操作に基づいて、表示装置３０の画面に表示されたデータを次のチャプターに進める。またつまり、この局面では、通信部１１０ｅは前チャプターキーとして機能し、制御部１２０は、使用者が行った前チャプターキー操作に基づいて、表示装置３０の画面に表示されたデータを前のチャプターに戻す。
【手続補正２５】
【補正対象書類名】明細書
【補正対象項目名】００９８
【補正方法】変更
【補正の内容】
【００９８】
また、制御情報取得部１２０ａが通信部１１０ａを携帯機器２０の通信部２１０に最も近い通信部として特定した場合（図１１のステップＳ１１０１）、制御情報取得部１２０ａは、「通常再生（１倍速再生）」を行う表示制御情報を制御情報記憶部１３０ｂから取得し（図１１のステップＳ１１０２）、制御部１２０は、表示装置３０の画面に表示されたデータを通常の速度（１倍速）で再生する表示制御を行う（図１１のステップＳ１１０３）。つまり、この局面では、通信部１１０ａは再生キーとして機能し、制御部１２０は、使用者が行った再生キー操作に基づいて、表示装置３０の画面に表示されたデータを通常の速度（１倍速）で再生する。
【手続補正２６】
【補正対象書類名】明細書
【補正対象項目名】００９９
【補正方法】変更
【補正の内容】
【００９９】
その後、制御部１２０は、例えば、上記表示制御処理を行った後、または一定時間毎に、表示装置３０の画面に表示されているストリーミングデータの再生が終了したか否かを判定する（図１０のステップＳ１００６）。
【手続補正２７】
【補正対象書類名】明細書
【補正対象項目名】０１００
【補正方法】変更
【補正の内容】
【０１００】
ストリーミングデータの再生が終了していない場合（ステップ１００６；Ｎｏ）、制御部１２０は、ステップＳ１００５に戻り、表示装置３０の画面においてストリーミングデータの表示を継続して行い、制御部１２０は、ストリーミングデータの表示制御を要求する使用者の操作を待ち受ける。使用者は、ストリーミングデータの再生が終了するまで（ステップＳ１００６；Ｙｅｓ）、通信装置１０の上面部１００付近で携帯機器２０を移動させることにより、各種操作キーとして機能する通信部１１０ａ乃至１１０ｅの何れかを介して表示装置３０の画面に表示されているストリーミングデータの表示制御を要求することができる。一方、ストリーミングデータの再生が終了した場合（ステップＳ１００６；Ｙｅｓ）、制御部１２０は、ストリーミング処理を終了する。その後、制御部１２０は、ステップＳ８０１に戻り、トップメニューを再表示する。